(57)【特許請求の範囲】
【請求項１】
タッチパネルと、ＬＣＤモジュールと、バックライトを含んでなるタッチパネル一体型ＬＣＤにおいて、
前記バックライトの裏側に備えられるＰＣＢ上に、ＬＣＤモジュールコントローラとタッチコントローラとが一体化され、
前記ＬＣＤモジュールコントローラとタッチコントローラとが一体化されたＰＣＢ上には、コネクタ挿入ホールが備えられ、前記コネクタ挿入ホールにコネクタが挿入した状態で前記ＰＣＢ上に実装され、
前記コネクタの端子は前記ＰＣＢ上の信号線とのはんだ付け部により電気的に接続され、
前記タッチパネルに電気的に接続される信号線は前記コネクタに挿入されて電気的に接続され、
前記ＬＣＤモジュールコントローラとタッチコントローラに接続するように、前記ＰＣＢに接続される複数の信号線が前記ＰＣＢの上面に密着され、
前記信号線が前記ＰＣＢ上に突出しないように、前記ＰＣＢ上に前記信号線の通る案内溝が形成され、
複数の部品が前記ＰＣＢの内側面に実装され、前記コネクタと前記ＰＣＢ間のはんだ付け部は前記ＰＣＢの内側面に位置して、前記コネクタが前記ＰＣＢの上に突出しないように、前記コネクタが前記コネクタ挿入ホールに挿入されることを特徴とするタッチパネル一体型ＬＣＤにおいてのタッチコントローラとＬＣＤモジュールコントローラとの結合構造。
【発明の詳細な説明】
【０００１】
【発明の属する技術分野】
本発明はタッチパネル一体型ＬＣＤに関し、特にタッチコントローラの設置空間に対する制約を軽減すると共に、タッチパネル一体型ＬＣＤを全体的に薄く形成できるようにしたものである。
【０００２】
【従来の技術】
一般に、タッチパネルが装着されるＬＣＤは、図１及び図２に示すように、タッチパネル１、ＬＣＤモジュール２、バックライト３が全て独立に存在し、これを動作させるためには、前記タッチパネル１が信号線７ＦＰＣによってタッチコントローラ４に連結されなければならず、前記タッチコントローラ４は、またコンピュータ本体５に電気的に連結されていなければならない。
すなわち、従来はタッチパネル１と、ＬＣＤモジュール２と、タッチコントローラ４と、コンピュータ本体５とが全て独立に存在していた。
【０００３】
したがって、従来はタッチパネル１に連結されるタッチコントローラ４を何処に固定すべきか考えなければならず、その位置に合わせてタッチパネル１の信号線７の長さや位置などを選定すべきであったが、図２のように、タッチパネル１領域をはずれて外側に設けられる場合が大部分であった。
【０００４】
一方、ノートブックコンピュータなどにおいてはこのようなスペースがなく、タッチコントローラをバックライト３の裏側に付着するしかない。この場合にはタッチコントローラを構成するＰＣＢ６上に通常ＩＣの高さより大きなコネクタが装着され、該コネクタの厚さによって全体的にタッチパネル一体型ＬＣＤが厚くなるなどの短所があった。
【０００５】
【発明が解決しようとする課題】
本発明は上記のような問題点を解決するためのもので、その目的は、タッチコントローラとＬＣＤモジュールコントローラとを一つのＰＣＢ（printed Circuit Board）上に一体化することにより、タッチコントローラに対する設置空間上の制約を軽減すると共に、タッチパネルとタッチコントローラとの信号線コネクティング構造を改善して、タッチパネル一体型ＬＣＤを全体的に薄く形成できるようにしたタッチコントローラとＬＣＤモジュールコントローラとの結合構造を提供することにある。
【０００６】
【課題を解決するための手段】
上記目的を達成するために、本発明はタッチパネル・ＬＣＤモジュール・バックライトを含めて成るタッチパネル一体型ＬＣＤであって、前記バックライトの裏側に備えられるＰＣＢ上に、ＬＣＤモジュールコントローラとタッチコントローラとが一体化されることを特徴とするタッチパネル一体型ＬＣＤにおけるタッチコントローラとＬＣＤモジュールコントローラとの結合構造が提供される。
【０００７】
【発明の実施の形態】
以下、本発明の実施形態を添付の図３ないし図６を参照して詳細に説明する。
図３は本発明にかかるタッチコントローラとＬＣＤモジュールコントローラとの結合構造を示す分解斜視図であり、図４は図３の信号線がコネクタに結合した状態を示す斜視図であり、図５は図４のＩ−Ｉ線に沿った縦断面図である。本発明はタッチパネル１、ＬＣＤモジュール２、バックライト３を含めて成るタッチパネル一体型ＬＣＤにおいて、前記バックライト３の裏側に備えられるＰＣＢ６上にＬＣＤモジュールコントローラとタッチコントローラとを一体化して成ったものである。
【０００８】
この際、ＬＣＤモジュールコントローラとタッチコントローラとが一体化された前記ＰＣＢ６上にはコネクタ挿入ホール８が備えられ、コネクタ９が前記コネクタ挿入ホール８に挿入された状態でＰＣＢ６上に実装される。
【０００９】
一方、前記コネクタ９の端子はソルダリングされ、ＰＣＢ６上にパターニングした配線に電気的に接続される。符号１１はコネクタ９とＰＣＢ６間のはんだ付け部を示す。
【００１０】
このように構成された本発明の作用は次の通りである。
【００１１】
本発明はタッチコントローラ４、タッチパネル１、ＬＣＤモジュール２が互いに分離した状態で組み立てられる従来の構造とは異なり、図３に示すように、ＬＣＤモジュールコントローラ（即ち、ソースＰＣＢ又はゲートＰＣＢ）とタッチコントローラとが一つのＰＣＢ６上に一体化されるようにしたものである。
【００１２】
この際、ＩＣなどの部品１０が実装する面は露出していても良いし、図３から図５に示すように、露出しないように配置することもできる（図５参照）。ＩＣなどの部品１０が露出されるように配置する場合は、タッチパネル１から出た信号線７をコネクタ９に連結する時、コネクタ９が外側へ露出しても特に問題はないが、ＩＣなど部品１０を、ＬＣＤモジュールコントローラとパネルコントローラとの一体化されたＰＣＢの内測（図５の図面上下部側）に配置する時は、信号線７の連結時に相当の制約を受ける。
【００１３】
従って、この場合は、図３から図５に示すように、タッチコントローラとＬＣＤモジュールコントローラとが一体化されたＰＣＢ６にコネクタ挿入ホール８を形成して、そのコネクタ挿入ホール８の深さを用いて、前記コネクタ９をホールの内側に設けることで、全体的に厚さを減らすことが可能となり、前記コネクタ挿入ホール８に実装されたコネクタ９にタッチパネル１の信号線７を刺して、タッチパネル１とタッチコントローラとを容易に連結できるようになる。
【００１４】
即ち、従来はＰＣＢ６上面にコネクタ９が実装されることにより、ＰＣＢ６の厚さにコネクタ９の高さを加えた分ＬＣＤ全体の構造が厚くなっていたが、本発明では、コネクタ９がＰＣＢ６に形成されたコネクタ挿入ホール８に挿入され、ＰＣＢ６の上部に殆ど突出しないことから、ＬＣＤ全体構造の厚さを減らすことができる。
【００１５】
一方、図６は本発明の他の実施形態を示す斜視図であって、この場合は、上述の実施形態とは違った形態で信号線７を配置した場合を示すものである。
すなわち、コネクタ９に挿入され、電気的に連結される信号線７は、タッチコントローラとＬＣＤモジュールコントローラとが一体化されたＰＣＢ６上にパターニングされた配線、又はその上に実装したその他のＩＣ部品１０との干渉を考慮して、適切に折り曲げられた構造から形成される。
【００１６】
一方、上記の各実施形態で信号線７はＰＣＢ６の上面に密着されることが好ましい。
又、上記のものとは異なり、ＰＣＢ６上に信号線の通る案内溝（図示せず）を形成して、前記信号線７がＰＣＢ６の表面に突出しないようにすることも好ましい。
そして、前記コネクタ９とＰＣＢ６間のはんだ付け部の位置を、図５とは逆にＩＣ部品１０の実装面側に変更して、ＰＣＢ６の表面上にコネクタ挿入ホール８に挿入するコネクタ９が突出しないようにすることも可能である。
【００１７】
【発明の効果】
本発明はタッチパネルＬＣＤにおいて、タッチパネルのタッチコントローラとＬＣＤモジュールコントローラとを一つのＰＣＢ上に一体化すると共に、タッチパネルとタッチコントローラとの信号線コネクティング構造を改善したものである。
本発明はタッチパネルのタッチコントローラに対する設置空間上の制約を軽減すると共に、タッチパネル一体型ＬＣＤを全体的に薄く形成できることから、タッチパネル一体型ＬＣＤの製品信頼性を向上させることができる。
【図面の簡単な説明】
【図１】従来のタッチパネル一体型ＬＣＤ動作のためのシステムを示す構成図である。
【図２】従来のタッチパネル一体型ＬＣＤを示す後面斜視図である。
【図３】本発明による結合構造を示すもので、タッチコントローラとＬＣＤモジュールコントローラとが一体化された状態を示す分解斜視図である。
【図４】図３の信号線がコネクタに結合された状態を示す斜視図である。
【図５】図４のＩ−Ｉ線に沿った縦断面図である。
【図６】本発明の他の実施形態を示す斜視図である。
【符号の説明】
１  タッチパネル
２  ＬＣＤモジュール
３  バックライト
４  タッチコントローラ
５  コンピュータ本体
６  ＰＣＢ
７  信号線（ＦＰＣ）
８  コネクタ挿入ホール
９  コネクタ
１０  ＩＣ部品
１１  はんだ付け部
【図１】
0004583681.tif 000002
【図２】
0004583681.tif 000003
【図３】
0004583681.tif 000004
【図４】
0004583681.tif 000005
【図５】
0004583681.tif 000006
【図６】
0004583681.tif 000007